(57)【要約】【課題】本発明の解決しようとする課題は、包装袋を区分することによって内容物を小出しに使用することもできるし、包装袋の区分を無くして、従来の大袋のように一度に使用することもできる包装袋を提案するものである。【解決手段】熱シール可能なシーラント層を有する積層体のシーラント層同士を対向させて、ボトムシール部４、トップシール部５、左右のサイドシール部６を熱シールして収納部を形成した包装袋であって、該収納部を横方向に２分する縦分割シール部７を有し、該縦分割シール部によって２分された２つの収納部をそれぞれ縦方向に２分する横分割シール部８を有し、これらにより区分された４つの小収納部を有することを特徴とする包装袋１である。【選択図】図１
2019006477.tif 000002
【特許請求の範囲】
【請求項１】
熱シール可能なシーラント層を有する積層体のシーラント層同士を対向させて、ボトムシール部、トップシール部、左右のサイドシール部を熱シールして収納部を形成した包装袋であって、該収納部を横方向に２分する縦分割シール部を有し、該縦分割シール部によって２分された２つの収納部をそれぞれ縦方向に２分する横分割シール部を有し、これらにより区分された４つの小収納部を有することを特徴とする包装袋。
【請求項２】
前記ボトムシール部及びトップシール部の剥離強度が８０Ｎ以上であり、縦分割シール部及び横分割シール部の剥離強度が２〜３Ｎであることを特徴とする請求項１に記載の包装袋。
【請求項３】
前記縦分割シール部と横分割シール部の交差する部分の近傍において横分割シール部の幅が他の部分の幅の１．５倍〜２倍であることを特徴とする請求項１または２に記載の包装袋。
【請求項４】
袋の背面に縦方向の合掌シールである背シール部を有し、袋の前面には、前記縦分割シール部と横分割シール部の交差する部分に把手を有することを特徴とする請求項１〜３のいずれか１項に記載の包装袋。
【発明の詳細な説明】
【技術分野】
【０００１】
本発明は包装袋に関し、特に収納部に区分けを有し内容物を小分けに収納することが可能であり、使用する時には、小出しに使用することもできるし、区分けのない通常の包装袋のように使用することもできる包装袋に関する。
【背景技術】
【０００２】
内面にヒートシール可能なシーラント層を有する積層体の内面同士を対向させて、周縁をヒートシールして製袋した軟包装袋は、さまざまな内容物を収納する包装袋として広く用いられている。
【０００３】
最も単純な包装形態としては、スナック菓子などを収納する包装袋で、ある程度の大きさを持った包装袋（大袋）に内容物をばら入れしたものが挙げられる。
【０００４】
しかし近年、核家族化や少子化の影響で１家族の人数が減少し、これに伴い従来大袋にばら詰めしていた内容物は、開封しても一度に消費しきれず、残ったものが変質してしまうという問題が生じた。そこで、大袋を廃止し、小袋に収納したものをミシン目を介して連設するという考え方が生まれた。特許文献１に記載された包装袋の切断方法および装置は、このような小袋を切断する方法と装置に関するものである。
【０００５】
別の考え方として、内容物を１個づつ個包装して、これを複数個大袋に収納したり、あるいは小袋に分けて収納したものを複数個大袋に収納したりする２重包装の考え方もある。しかしこれらの方法は、いずれも大袋１個に比較して材料がほぼ２倍必要なため材料費がかさみ、コストアップの要因となる。
【０００６】
また、個別包装形式や連設した小袋形式は便利なだけでなく、不便な場合もあり、一度に全部を取り出したい場合などには、いちいち個別包装を開くのが面倒であるという問題もある。
【０００７】
そこで別の考え方として、大袋にファスナーを取り付けて再封止が可能なようにし、小出し消費にも、全量消費にも対応するという方法もある。しかしこれもファスナーを使用するために包装袋のコストアップの要因を含んでいる。
【０００８】
そこで、小袋を用いずに、収納部を区分して使用することを検討した。収納部を区分する考え方は、従来から存在し、例えば収納部を２分して一方にマヨネーズを収納し、他方にはトマトケチャップを収納しておき、好みに応じて使い分けるといった例や、特許文献２に記載された別添袋付き自立袋のように、本体袋と別添袋をヒートシール部で連設し、異なる内容物を収納できるようにしたものが知られている。
【０００９】
また、特許文献３に記載された緩衝包装袋は、表裏２枚のプラスチックフィルムを格子状にヒートシールして連通した小部屋に区分し、空気を封入して船型の緩衝体を簡単に作成することができるものである。しかしこれらの発明は、どちらも本発明の解決しようとする課題を解決するものではなかった。
【先行技術文献】
【特許文献】
【００１０】
【特許文献１】特開２０１０−２３５１５０号公報
【特許文献２】特開２０１０−２３５１５０号公報
【特許文献３】特開２０１６−１８８０９８号公報
【発明の概要】
【発明が解決しようとする課題】
【００１１】
本発明の解決しようとする課題は、包装袋を区分することによって内容物を小出しに使用することもできるし、包装袋の区分を無くして、従来の大袋のように一度に使用することもできる包装袋を提案するものである。
【課題を解決するための手段】
【００１２】
上記の課題を解決するための手段として、請求項１に記載の発明は、熱シール可能なシーラント層を有する積層体のシーラント層同士を対向させて、ボトムシール部、トップシール部、左右のサイドシール部を熱シールして収納部を形成した包装袋であって、該収納部を横方向に２分する縦分割シール部を有し、該縦分割シール部によって２分された２つの収納部をそれぞれ縦方向に２分する横分割シール部を有し、これらにより区分された４つの小収納部を有することを特徴とする包装袋である。
【００１３】
本発明に係る包装袋は、収納部を４分割して４つの小収納部を設けたので、内容物を小出しに取り出すことも出来るし、小収納部を連通させることにより、一度に全部の内容物を取り出すことも出来る。
【００１４】
また、請求項２に記載の発明は、前記ボトムシール部及びトップシール部の剥離強度が８０Ｎ以上であり、縦分割シール部及び横分割シール部の剥離強度が２〜３Ｎであることを特徴とする請求項１に記載の包装袋である。
【００１５】
また、請求項３に記載の発明は、前記縦分割シール部と横分割シール部の交差する部分の近傍において横分割シール部の幅が他の部分の幅の１．５倍〜２倍であることを特徴とする請求項１または２に記載の包装袋である。
【００１６】
また、請求項４に記載の発明は、袋の背面に縦方向の合掌シールである背シール部を有し、袋の前面には、前記縦分割シール部と横分割シール部の交差する部分に把手を有することを特徴とする請求項１〜３のいずれか１項に記載の包装袋である。
【発明の効果】
【００１７】
本発明に係る包装袋は、縦分割シール部と横分割シール部とによって収納部を４分割して４つの小収納部を設けたので、それぞれの小収納部のみを開封することにより内容物を小出しに取り出すことも出来るし、縦横の分割シール部を剥離するという簡単な操作ですべての小収納部を連通させることにより、大袋の場合と同様に一度に全部の内容物を取り出すことも出来る。
【００１８】
また本発明によれば、内容物を小袋や個包装に包装してさらに大袋に収納する場合や、ファスナーを使用する場合等に比較して特に材料費の増加もなく、コスト面において有利である。
【００１９】
請求項２に記載の発明のように、前記ボトムシール部及びトップシール部の剥離強度が８０Ｎ以上であり、縦分割シール部及び横分割シール部の剥離強度が２〜３Ｎである場合には、縦横の分割シール部を剥離して小収納部を連通させる操作がより容易に、また安定して行える。
【００２０】
請求項３に記載の発明のように、前記縦分割シール部と横分割シール部の交差する部分の近傍において横分割シール部の幅が他の部分の幅の１．５倍〜２倍である場合には、こ
の部分の剥離強度が１．５〜２倍となるので、小収納部をすべて連通させず個別乃至は、２つづつ開封するような場合に、この部分においてシール部の剥離が引っ掛かるため、不必要に開封し過ぎてしまうことが防止できる。
【００２１】
請求項４に記載の発明のように、袋の背面に縦方向の合掌シールである背シール部を有し、袋の前面には、前記縦分割シール部と横分割シール部の交差する部分に把手を有する場合には、背シール部と把手を掴んで広げることにより、縦横分割シール部を剥離して小収納部を連通させる操作がやり易くなる。
【図面の簡単な説明】
【００２２】
【図１】図１は、本発明に係る包装袋の一実施態様において包装袋に内容物を収納した状態を示した斜視模式図である。
【図２】図２は、図１に示した包装袋の平面説明図である。
【図３】図３は、本発明に係る包装袋の他の実施態様において包装袋に内容物を収納した状態を示した斜視模式図である。
【発明を実施するための形態】
【００２３】
以下図面を参照しながら、本発明に係る包装袋について詳細に説明する。図１は、本発明に係る包装袋１の一実施態様において包装袋１に内容物を収納した状態を示した斜視模式図である。また図２は、図１に示した包装袋１の平面説明図である。
【００２４】
本発明に係る包装袋１は、熱シール可能なシーラント層を有する積層体のシーラント層同士を対向させて、表面積層体２と裏面積層体３となし、周縁部すなわちボトムシール部４、トップシール部５、左右のサイドシール部６を熱シールして収納部を形成した包装袋であって、該収納部を横方向に２分する縦分割シール部７を有し、縦分割シール部７によって２分された２つの収納部をそれぞれ縦方向に２分する横分割シール部８を有し、これらにより区分された４つの小収納部１１を有することを特徴とする包装袋である。
【００２５】
本発明に係る包装袋１は、収納部を４分割して４つの小収納部１１を形成したので、これらの小収納部を個々に開封することにより、内容物を小出しに取り出すことができる。一方、縦横の分割シール部７、８を剥離することですべての小収納部を連通させ、一つの収納部とすることもできるため、簡単な操作を加えることにより、従来のように大袋としての長所を生かした使用方法を選択することもできる。
【００２６】
この時、請求項２に記載の発明のように、ボトムシール部４及びトップシール部５の剥離強度を８０Ｎ以上とし、縦分割シール部７及び横分割シール部８の剥離強度を２〜３Ｎと、剥離強度に差を設けることにより、小収納部を連通させて大袋として使用する際に縦横の分割シール部を剥離する操作がより容易になる。
【００２７】
特にボトムシール部４及びトップシール部５の剥離強度を８０Ｎ以上とすることにより、連通操作において、袋のすべてのシール部が不必要に剥離して内容物が散乱するといった問題が生じ難くなる。
【００２８】
左右のサイドシール部６の剥離強度は、低く設定することにより、小収納部を一つだけ開封するような場合に開封しやすくなる。しかし左右のサイドシール部６の剥離強度がボトムシール部４やトップシール部５と同様に高い場合であっても、図に示したように、トップシール部５の直下に開封ノッチ１４が設けられているので、特に大きな問題とはならない。
【００２９】
本発明に係る包装袋においては、次の３つの事柄が求められる。すなわち（１）簡単に１箇所づつ開けられること。（２）簡単に一つのパウチに戻せること。（３）消費者が開封するまでにシール部が開かないことである。
【００３０】
縦分割シール部７と横分割シール部８のシール強度について、実際に包装袋を作成し、モニターによる官能検査を実施した。開封性については、「開きやすい」、「やや開き易い」、「やや開き難い」、「開き難い」の４段階とし、２０個の包装袋について実際に開封して貰い、「開きやすい」と、「やや開き易い」と回答した人数の割合を調べたところ、シール強度が２．１Ｎ／１５ｍｍでは、９５％の人が、また２．３Ｎ／１５ｍｍでは９０％の人が「開きやすい」または「やや開き易い」と回答した。
【００３１】
また、（３）については、振動落下試験を行った。包装袋にスナック菓子２００ｇを充填し、図１のような包装体を作成した。このパウチ１２個を１つの箱に詰め、２０００ｋｍ相当の振動試験を行った後、１ｍの高さから垂直、水平方向に各５回落下させた。この結果、シール部の開口は見られなかった。
【００３２】
図１、２に示した実施態様のように、縦分割シール部７と横分割シール部８の交差する部分９の近傍において横分割シール部８の幅が他の部分の幅の１．５倍〜２倍となっていることにより、この部分の剥離強度が他の部分に比較して１．５倍〜２倍となるため、分割シール部を剥離する際に、剥離がこの部分で引っ掛かり、不用意に一気に開封してしまうという事故を防ぐことができる。
【００３３】
図３は、本発明に係る包装袋の他の実施態様において包装袋１に内容物を収納した状態を示した斜視模式図である。この例では、袋の背面に縦方向の合掌シールである背シール部１２を有し、袋の前面には、縦分割シール部７と横分割シール部８の交差する部分９に把手１３を有することを特徴とする。
【００３４】
このようにすることにより、縦分割シール部７と横分割シール部８をともに剥離してすべての小収納部を連通させ、包装袋１を一つの大袋のようにする操作において表面積層体２と裏面積層体３の掴み代が与えられるため、操作がよりし易くなるという利点がある。
【００３５】
なお、袋の背面に背シール部１２を設けることで、サイドシール部６のないピロー包装袋としても良い。また、表面側の把手１３の代わりに表面側にも縦方向にシール部を設けても良い。
【００３６】
開封ノッチ１４は、包装袋１を最初に開封するための補助手段であり、図のようなＶ字状のノッチでも良いし、Ｕ字状やＩ字状、またホームベース形状など任意である。この例ではトップシール部５の直下の左右両側のサイドシール部に設けられているが、さらに横分割シール部８の直下にも設けておくと、下半分の小収納部１１を開封する時に便利である。また、開封ノッチに加えて、開封線に沿ってハーフカットや全面傷加工等を施しても良い。
【００３７】
本発明に係る包装袋に使用する積層体の構成としては、袋の外側から順に基材層、シーラント層からなる構成が最も基本的な構成となる。この他に必要に応じて中間層、ガスバリア層等が付加される。
基材層としては一般的にシーラント層よりも耐熱性の高い各種合成樹脂フィルムが使用される。具体的には、ポリエチレンテレフタレート（ＰＥＴ）樹脂フィルム、延伸ナイロンフィルム（Ｏｎｙ）、延伸ポリプロピレン（ＯＰＰ）樹脂フィルム等である。
【００３８】
基材層とシーラント層の間に中間層を用いる場合がある。中間層は、積層体の強度を増したり、コシを強くしたりする目的で用いられ、包装袋の大きさや容量によって材質や厚さが調整される。中間層としては、基材層に用いるのと同様の合成樹脂フィルムを使用することができる。
【００３９】
ガスバリア層は、包装袋に防湿性や酸素遮断性を付与して内容物の保存性を高める目的で使用される。ガスバリア層としては、ポリ塩化ビニリデンフィルム、ポリビニルアルコールフィルム、エチレンビニルアルコール共重合体フィルム、ガスバリア性ナイロンフィルム、ガスバリア性ポリエチレンテレフタレート（ＰＥＴ）フィルム等のガスバリア性フィルムや、ＰＥＴフィルム等にアルミニウム等の金属を蒸着した金属蒸着フィルムや、ＰＥＴフィルムに酸化アルミニウムや酸化珪素等の無機酸化物を蒸着させた無機酸化物蒸着フィルム、あるいは、ポリ塩化ビニリデンコーティング、水溶性樹脂と無機層状化合物を含有する被膜や金属アルコキシドあるいはその加水分解物とイソシアネート化合物を反応させた被膜からなる樹脂層などのガスバリアコーティング層、あるいはアルミニウム箔等の金属箔などを用いることができる。
【００４０】
シーラント層としては、ポリオレフィン系樹脂が一般的に使用され、具体的には、低密度ポリエチレン樹脂（ＬＤＰＥ）、中密度ポリエチレン樹脂（ＭＤＰＥ）、直鎖状低密度ポリエチレン樹脂（ＬＬＤＰＥ）、エチレン−酢酸ビニル共重合体（ＥＶＡ）、エチレン−αオレフィン共重合体、エチレン−メタアクリル酸樹脂共重合体などのエチレン系樹脂や、ポリエチレンとポリブテンのブレンド樹脂や、ホモポリプロピレン樹脂（ＰＰ）、プロピレン−エチレンランダム共重合体、プロピレン−エチレンブロック共重合体、プロピレン−αオレフィン共重合体などのポリプロピレン系樹脂等が使用される。
【００４１】
本発明に係る包装袋に使用するシーラント層としては、剥離強度の低いイージーピールシーラントがより適している。イージーピールシーラントとしては、相溶性のない樹脂を混練してポリマーブレンドないしはポリマーアロイとして海島構造を持たせた樹脂や、多層フィルムからなるイージーピールシーラントフィルムを用いることができる。ポリオレフィン系ポリマーアロイでは、ポリオレフィン／ポリスチレンや、ポリオレフィン／エラストマー成分のもの等が知られている。
【００４２】
以上のように、本発明に係る包装袋は、特にスナック菓子やコーンフレーク、ポップコーン等の比較的軽量な内容物を収納するのに適した包装袋であり、小袋包装の利点と大袋包装の利点を併せ持ったものである。
【符号の説明】
【００４３】
１・・・包装袋
２・・・表面積層体
３・・・裏面積層体
４・・・ボトムシール部
５・・・トップシール部
６・・・サイドシール部
７・・・縦分割シール部
８・・・横分割シール部
９・・・交差部分
１１・・・小収納部
１２・・・背シール部
１３・・・把手
１４・・・開封ノッチ
【図１】
2019006477.tif 000003
【図２】
2019006477.tif 000004
【図３】
2019006477.tif 000005